(57)【特許請求の範囲】
【請求項１】
荷受室とスタンプ装置と伝票挿入用開口部を備える扉を有する宅配ボックスであって、
前記スタンプ装置はスタンプと伝票受部と伝票挿入時の伝票挿入量に応じて開くシャッタ部とから成り、
前記伝票受部は平行な矩形の上面部と下面部から成り両方の一端部で形成される伝票挿入口部を前記伝票挿入用開口部に対応して前記扉に固着され、前記上面部にスタンプ挿入用のスリットを備え、
前記シャッター部は前記スリットを開閉自在に覆うシャッター本体に前記伝票挿入口部と平行で前記シャッター本体の下方に第一垂直材と上方に第二垂直材を備えて成り、前記第一垂直材は前記スリットに挿入されて前記下面部近傍に達する伝票押し当て部で、前記第二垂直材はその両端部と前記伝票挿入口部の両端部に形成される一対の突起と一対の弾性材を介して連結されることを特徴とする宅配ボックス。
【請求項２】
請求項１に記載の宅配ボックスであって、前記伝票受部の上面部と下面部は前記伝票挿入口部から前記上面部と下面部のそれぞれの他端部に亘って前記伝票受部の断面形状が連続的に矩形から弧状に形成されることを特徴とする宅配ボックス。
【請求項３】
請求項１又は請求項２に記載の宅配ボックスであって、前記伝票押し当て部は前記伝票挿入口部の位置に備えることを特徴とする宅配ボックス。
【請求項４】
請求項１乃至請求項３のいずれか１項に記載のスタンプ装置であって、前記弾性材はスプリングであることを特徴とする宅配ボックス。
【発明の詳細な説明】
【技術分野】
【０００１】
本発明は宅配物を荷受けする無人の宅配ボックスに関し、詳しくは、荷受確認用の伝票が挿入された状態に連動してスタンプ動作が作動する宅配ボックスの技術に関するものである。
【背景技術】
【０００２】
従来、宅配小荷物を無人で受取り受領印をスタンプできる宅配ボックスとして、例えば、特許文献１の内容が知られている。
【０００３】
特許文献１の宅配ボックス４は図８に示すように、伝票Ｒを表面パネル５１とカバー５２との隙間に形成された挿入口５３から伝票スペース２内に挿入した後に、スタンプボタン６を押すことにより伝票Ｒにスタンプできる。
【０００４】
より詳しくは、伝票Ｒの表面をカバー５２側にして挿入口５３より伝票スペース２内に挿入する。そして、スタンプボタン６を押すことにより、スタンプボタン６の後端に配設された圧接板３が、ホルダー１に保持されたスタンプＳのスタンプ面Ｓ１に向かって移動して伝票スペース２に配置された伝票Ｒの表面をスタンプ面Ｓ１に押圧することができる。
【０００５】
このスタンプボタン６はスプリング６１を備え、スプリング６１の弾性力を利用してスタンプボタン６を初期位置に復帰させることができる。
【特許文献１】特開平１１−２６６９９９号公報
【発明の開示】
【発明が解決しようとする課題】
【０００６】
このような宅配ボックス４における伝票Ｒの位置合わせは、伝票スペース２内の最奥部に設けられた図示しない伝票ガイドに伝票Ｒの先端が当接したときの手の感触で判断して実施していた。
【０００７】
ところが、伝票Ｒを挿入口５３から伝票スペース２内に挿入した際に、差し込まれた伝票Ｒ自身の状態が目視できないので、伝票Ｒの挿入状態によっては伝票ガイドに当接した伝票Ｒの先端が折れ曲がって伝票ＲをスタンプＳ位置に合わせることが困難であった。
【０００８】
このため、伝票Ｒの所望のスタンプ位置にスタンプされない場合があり、宅配物を確実に宅配ボックス４に届けたという証明ができないので受取人及び配達人の双方にとって不都合が生じていた。
【０００９】
そこで、本発明はかかる従来技術の問題に鑑みなされたものであり、簡単な構造で、荷受確認用の伝票が挿入される状態に連動してスタンプが作動する宅配ボックスを提供することを目的とする。
【課題を解決するための手段】
【００１０】
請求項１の発明は、荷受室とスタンプ装置と伝票挿入用開口部を備える扉を有する宅配ボックスであって、前記スタンプ装置はスタンプと伝票受部と伝票挿入時の伝票挿入量に応じて開くシャッタ部とから成り、前記伝票受部は平行な矩形の上面部と下面部から成り両方の一端部で形成される伝票挿入口部を前記伝票挿入用開口部に対応して前記扉に固着され、前記上面部にスタンプ挿入用のスリットを備え、前記シャッター部は前記スリットを開閉自在に覆うシャッター本体に前記伝票挿入口部と平行で前記シャッター本体の下方に第一垂直材と上方に第二垂直材を備えて成り、前記第一垂直材は前記スリットに挿入されて前記下面部近傍に達する伝票押し当て部で、前記第二垂直材はその両端部と前記伝票挿入口部の両端部に形成される一対の突起と一対の弾性材を介して連結されることを特徴としている。
【００１１】
請求項２の発明は、請求項１に記載の宅配ボックスであって、前記伝票受部の上面部と下面部は前記伝票挿入口部から前記上面部と下面部のそれぞれの他端部に亘って前記伝票受部の断面形状が連続的に矩形から弧状に形成されることを特徴としている。
【００１２】
請求項３の発明は、請求項１又は請求項２に記載の宅配ボックスであって、前記伝票押し当て部は前記伝票挿入口部の位置に備えることを特徴としている。
【００１３】
請求項４の発明は、請求項１乃至請求項３のいずれか１項に記載のスタンプ装置であって、前記弾性材はスプリングであることを特徴としている。
【発明の効果】
【００１４】
請求項１記載の発明によれば、前記伝票受部の前記上面部にスタンプ挿入用のスリットを備え、前記シャッター部は前記スリットを開閉自在に覆うシャッター本体に前記伝票挿入口部と平行で前記シャッター本体の下方に第一垂直材と上方に第二垂直材を備えて成り、前記第一垂直材は前記スリットに挿入されて前記下面部近傍に達する伝票押し当て部で、前記第二垂直材はその両端部と前記伝票挿入口部の両端部に形成される一対の突起と一対の弾性材を介して連結される。
【００１５】
このため、シャッター部がスリットを覆っているのでスタンプが下降できない状態で前記伝票受部に伝票を挿入すると、伝票の先端が伝票押し当て部を押し込む力が弾性体の弾性力に打勝ってシャッター部が移動する。そして、伝票の先端が弾性体の弾性力に打勝って伝票押し当て部を所定の長さ以上に押し込んでシャッター部を開放することで始めてスタンプ可能となる。
【００１６】
このように、伝票受部に挿入される伝票の挿入量（挿入長さ）が外側から目視することができなくてもシャッター部の移動に基づいて確実且つ容易にスタンプすることができる。
【００１７】
請求項２記載の発明によれば、前記伝票受部の上面部と下面部は前記伝票挿入口部から前記上面部と下面部のそれぞれの他端部に亘って前記伝票受部の断面形状が連続的に矩形から弧状に形成されるので、挿入される伝票は前記伝票挿入口部から連続的に平面状から弧状に変化する。このため、伝票の曲げ剛性が増加するので伝票は侵入方向に対して上下に曲がりにくくなるので確実に伝票押し当て部を押し込むことができて請求項１記載の発明の効果と同様の効果がさらに確実に得られる。
【００１８】
請求項３記載の発明によれば、前記伝票押し当て部は前記伝票挿入口部の位置に備えるので、前記伝票受部への雨水の侵入を防ぐことができるとともに請求項１記載の発明の効果と同様の効果が得られる。
【００１９】
請求項４記載の発明によれば、前記弾性材は汎用品であるスプリングが用いられるので、製作コストが下がるとともに請求項１記載の発明の効果と同様の効果が得られる。
【発明を実施するための最良の形態】
【００２０】
＜本発明の実施形態＞
以下に、本発明の第一の実施形態を図１〜図４に基づいて説明する。
【００２１】
＜宅配ボックスの構成＞  
図1、図２、図３に示すように、本発明の宅配ボックス１１は荷物を受入れる荷受室１２と扉１３から成り、扉１３に伝票挿入孔１３ａを備え、扉１３の裏面に荷受け確認用のスタンプ装置１４が設けられる。扉１３の表面には施錠用の鍵穴１５とスタンプ連動ボタン１５ａを備える。
【００２２】
スタンプ装置１４は荷受確認用に伝票Ｑに押すためのスタンプ１７と、伝票Ｑが挿入される伝票受部１８と伝票挿入時の伝票の押当て力に連動してスタンプ可能に開くシャッター部１９とで形成される。
【００２３】
伝票受部１８は矩形の上面部１８ａと下面部１８ｂが両側面１８ｃと後面１８ｄが塞がれて、伝票受部１８の内部に伝票Ｑが挿入される伝票受部内部Ｋが形成される。伝票受部１８は水平状態で、前面としての伝票挿入口部２０が図示しない方法で伝票挿入孔１３ａに連通して扉１３の裏面に固定される。
【００２４】
上面部１８ａの後面１８ｄから伝票挿入口部２０に亘る略３／４の領域にスタンプ挿入用のスリット２１を幅Ｔで備え、スリット２１は細長い略矩形形状でその前端部は弧状２１ａに形成される。このスリット２１の弧状２１ａ近傍をスタンプ１７が下降することで下面部１８ｂに沿って挿入される伝票Ｑにスタンプが実施できる。なお、後面１８ｄのスリット２１に当接する中央部の領域には後面１８ｄが形成されない。
【００２５】
上面部１８ａにおける伝票挿入口部２０の両端部に一対の突起２２が高さＨ１で形成される。
【００２６】
シャッター部１９は、スリット２１の幅Ｔより広い幅Ｔ１でスリット２１を覆う矩形形状のシャッター本体１９ａに、伝票挿入口部２０と平行でシャッター本体１９ａに垂直な第一垂直材２３と第二垂直材２４を備えて形成される。
【００２７】
第一垂直材２３はスリット２１の幅Ｔより僅かに狭い幅Ｔ２の矩形形状の伝票押し当て部であり、下面部近傍に達する高さＨ２で形成される。第二垂直材２４は長さＬで高さＨ１の矩形形状でその長さ方向の中心２４ａをシャッター本体１９ａの中心線Ｐに合わせて固着される。
【００２８】
第二垂直材２４の両端部近傍の係止部２４ｂと一対の突起２２とが、弾性材としてのスプリング２５を図示しない方法で固着して中心線Ｐに平行な状態で連結される。
【００２９】
スタンプ１７は図示しないホルダーによってスタンプ時に芯振れしないように確実に保持されて上昇と下降ができる。スタンプ１７はスタンプ液の補充がなくても一定の使用回数に対してスタンプ効果を持続することができる。
【００３０】
＜宅配ボックスの作用＞
図４（ａ）は、図示しない宅配ボックスが荷受完了で扉が閉められた状態であって、伝票挿入口部２０から伝票受部内部Ｋに荷受確認のための伝票Ｑを挿入する直前である。この状態では、シャッター本体１９ａがスタンプ１７の直下におけるスタンプ直下スリット部２１ｂを覆っているのでスタンプ１７は下降することができない。
【００３１】
図４（ｂ）に示すように、伝票Ｑを伝票挿入口部２０から伝票受部内部Ｋに挿入すると、伝票Ｑの先端が伝票押し当て部２３を押し込む力がスプリング２５の弾性力に打勝ってシャッター本体１９ａが徐々に開く。
【００３２】
図４（ｃ）に示すように、伝票Ｑを更に挿入すると、第二垂直材２４が後面１８ｄに達した状態でスタンプ直下スリット部２１ｂが十分開口する。この状態でスタンプ１７を下降して伝票Ｑにスタンプ完了となる。この後、スタンプ１７は上昇するので、スタンプ完了の伝票Ｑを引き出すとスプリング２５の弾性力によってシャッター本体１９ａは図４（ａ）の状態に戻る。
【００３３】
このように、伝票Ｑの先端がスプリングの弾性力に打勝って伝票押し当て部２３を押し込むことでシャッター本体１９ａをスライドさせてスタンプ直下スリット部２１ｂを開口することにより、スタンプ１７がスリット２１内を下降してスタンプできる。仮に伝票Ｑの先端が折れ曲がって挿入されていくと伝票押し当て部２３を押し込む力が発生しないのでスタンプ直下スリット部２１ｂを開口することができずスタンプができない。このように、外側から伝票Ｑの挿入状態が目視できなくても挿入状態が正常であることによって確実且つ容易にスタンプが実施できる。
【００３４】
＜本発明の第二の実施形態＞
本発明の第二の実施形態の宅配ボックスのスタンプ装置１４ａを図５（ａ）、（ｂ）を用いて説明するが、図２に示す宅配ボックスのスタンプ装置１４の構成と同構成部分については、図面に同符号を付して重複した説明を省略する。なお、図１、図３、図４に示す宅配ボックスのスタンプ装置の構成とは同様であるためその説明および図面を省略する。
【００３５】
伝票受部２８は矩形の上面部２８ａと下面部２８ｂが両側面２８ｃと後面２８ｄで塞がれて形成される。上面部２８ａと下面部２８ｂは伝票挿入口部２０から後面２８ｄに亘って伝票挿入口部２０に平行な断面形状が連続的に徐々に矩形から上方に凸状の円弧状（後面２８ｄにおいて半径Ｒ１）に形成される。なお、好ましくは、スタンプ性能を良好にするために下面部２８ｂにおけるスタンプ１７に対応する領域は水平状態に形成される。
【００３６】
このため、挿入された伝票Ｑは伝票挿入口部２０近傍の挿入近傍部Ｑ１から先端部Ｑ２に亘って連続的に平面状から弧状（移動後の伝票押し当て部２３における半径Ｒ２＞半径Ｒ１）に変化するので、伝票の曲げ剛性が増加するので、伝票は挿入方向に対して上下に曲がりにくくなり確実に伝票押し当て部を押し込むことができる。そして、伝票受部に伝票Ｑを挿入した際に外側から伝票Ｑの挿入状態が目視できなくてもさらに容易且つ確実にスタンプすることができる。
【００３７】
＜本発明の第三の実施形態＞
本発明の第三の実施形態の宅配ボックスのスタンプ装置を図６、図７を用いて説明するが、図３、図４に示す宅配ボックスのスタンプ装置の構成と同構成部分については、図面に同符号を付して重複した説明を省略する。なお、図１、図２に示す宅配ボックスのスタンプ装置の構成とは同様であるためその説明および図面を省略する。
【００３８】
図６に示すように、シャッター部２９は、スリット２１の幅Ｔより僅かに狭い幅Ｔ２の矩形形状の垂直部３０ａがシャッター本体１９ａから下方に垂設され、この垂直部３０ａから伝票挿入口部２０まで延びる幅Ｔ２の矩形形状の水平部３０ｂが設けられる。
【００３９】
この水平部３０ｂの先端に、伝票挿入口部２０と略同じ大きさ（幅Ｌ１、高さＨ３）の矩形形状の第一垂直材３１が伝票押し当て部として下方に垂設される。シャッター本体１９ａと水平部３０ｂとの隙間Ｈ４は上面部１８ａをスライド自在に挿入できる隙間である。
【００４０】
図７（ａ）は、伝票挿入口部２０から荷受確認のための伝票Ｑを挿入する直前の状態で、シャッター本体１９ａがスタンプ１７直下におけるスタンプ直下スリット部２１ｂを覆っているのでスタンプ１７は下降できない。
【００４１】
図７（ｂ）に示すように、伝票挿入口部２０から伝票Ｑを挿入すると、伝票Ｑはシャッター本体１９ａを押してスライドしながら伝票受部内部Ｋに挿入できる。図７（ｃ）に示すように、伝票Ｑを更に挿入すると、シャッター部２９の第二垂直材２４が後面１８ｄに達した状態でスタンプ直下スリット部２１ｂが開口するので、スタンプ１７が下降できて伝票Ｑにスタンプ完了となる。
【００４２】
このように、垂直部３０ａから伝票挿入口部２０まで延びる水平部３０ｂの先端に伝票挿入口部２０と略同じ大きさの矩形形状の第一垂直材３１が伝票押し当て部として下方に垂設されるので、伝票Ｑが挿入されない状態では伝票受部内部Ｋへの雨水の侵入を防ぐことができる。
【００４３】
以上、本発明の実施例を図面に基づいて説明したが、具体的な構成はこの実施例に限られるものではなく本発明の要旨を逸脱しない範囲の設計変更等があっても本発明に含まれる。
【００４４】
例えば、スタンプ１６の代わりに印鑑でも構わない。伝票受部の上面部と下面部は伝票挿入口部から後面に亘って断面形状が連続的に矩形から上方に凸状の円弧状に形成する代わりに、円弧状以外の曲面状でも構わない。
【００４５】
円弧状の上面部と下面部に対応してシャッター部１９も若干弧状に形成すると、シャッター部１９のスライド状態をさらに安定させることができる。伝票受部の上面部と下面部は、場合によれば、下方に凸状の円弧状でも構わない。
【図面の簡単な説明】
【００４６】
【図１】本発明の第一の実施形態における、宅配ボックス１１の斜視図である。
【図２】本発明の第一の実施形態における、スタンプ装置１４の斜視図である。
【図３】本発明の第一の実施形態における、シャッター１９の斜視図である。
【図４】本発明の第一の実施形態における、（ａ）は伝票受部に荷受確認のために伝票を挿入する直前の状態、（ｂ）はスプリングの弾性力に打勝って伝票の先端が伝票押し当て部を押し込む状態、（ｃ）はシャッターが開いてスリットにスタンプが下降できる状態を示す断面図である。
【図５】本発明の第二の実施形態における、（ａ）はスタンプ装置１４aの斜視図、（ｂ）は伝票受部に挿入された伝票の状態を示す斜視図。
【図６】本発明の第三の実施形態における、スタンプ装置のシャッター２９の斜視図である。
【図７】本発明の第三の実施形態における、（ａ）は伝票受部に荷受確認のために伝票を挿入する直前の状態、（ｂ）はスプリングの弾性力に打勝って伝票の先端が伝票押し当て部を押し込む状態、（ｃ）はシャッターが開いてスリットにスタンプが下降できる状態を示す断面図である。
【図８】従来例における、宅配ボックス４のスタンプボタン６を後方に押すことにより伝票Ｒにスタンプする状態を示す断面図である。
【符号の説明】
【００４７】
１４  スタンプ装置
１７  スタンプ
１８  伝票受部
１８ａ  上面部
１８ｂ  下面部
１８ｄ  後面
１９  シャッター部
１９ａ  シャッター本体
２０  伝票挿入口部
２１  スリット
２１ａ  弧状
２２  突起
２３  第一垂直材（伝票押し当て部）
２４  第二垂直材
２４ｂ  係止部
２５  スプリング
【図１】
0004835524.tif 000002
【図２】
0004835524.tif 000003
【図３】
0004835524.tif 000004
【図４】
0004835524.tif 000005
【図５】
0004835524.tif 000006
【図６】
0004835524.tif 000007
【図７】
0004835524.tif 000008
【図８】
0004835524.tif 000009